(57)【要約】【課題】異なる種類のトレーサガスの濃度を一回の処理で、正確に測定することができる、拡散濃度試験装置を提供すること。【解決手段】拡散濃度試験装置は、第１トレーサガスを吸収する吸収溶液を蓄える、複数の試験管と、各々が前記複数の試験管の各々に接続された、複数の中空管と、風路内の気体を前記各試験管を介して前記各中空管に吸引する、吸引機構と、前記複数の中空管に接続され、前記各中空管に吸引された気体における前記第２トレーサガスの濃度を測定する、第２ガス測定機構と、前記各中空管の接続先を、前記各試験管と前記第２ガス測定機構との間で切り換える、第１切替機構とを備える。【選択図】図１
2014126465.tif 000002
【特許請求の範囲】
【請求項１】
風路に第１トレーサガスを導入する、第１ガス導入機構と、
前記風路に第２トレーサガスを導入する、第２ガス導入機構と、
前記風路に設定された複数の測定ポイントのそれぞれについて、前記第１トレーサガス及び前記第２トレーサガスの濃度を測定する、測定機構と、
を具備し、
前記測定機構は、
前記複数の測定ポイントに対応して設けられ、前記第１トレーサガスを吸収する吸収溶液を蓄える、複数の試験管と、
前記複数の測定ポイントに対応して設けられ、各々が前記複数の試験管の各々に接続された、複数の中空管と、
前記風路内の気体を、前記複数の測定ポイントの各々から前記各試験管を介して前記複数の中空管に吸引する、吸引機構と、
前記複数の中空管に接続され、前記各中空管に吸引された気体における前記第２トレーサガスの濃度を測定する、第２ガス測定機構と、
前記各中空管の接続先を、前記各試験管と前記第２ガス測定機構との間で切り換える、第１切替機構とを備える
拡散濃度試験装置。
【請求項２】
請求項１に記載された拡散濃度試験装置であって、
前記測定機構は、更に、前記複数の中空管に共通に接続されたチャンバを備え、
前記チャンバには、前記各中空管内に液面が形成されるように、液体が蓄えられており、
前記吸引機構は、前記チャンバ内の液体を吸引することにより、前記各中空管に気体を吸引するように構成されている
拡散濃度試験装置。
【請求項３】
請求項１又は２に記載された拡散濃度試験装置であって、
前記第１切替機構は、前記複数の測定ポイントに対応するように設けられた、複数の切替部材を備え、
前記測定機構は、更に、
前記複数の測定ポイントに対応するように設けられた、複数の第１流路管と、
前記複数の測定ポイントに対応するように設けられた、複数の第２流路管と、
前記複数の測定ポイントに対応するように設けられた、複数の第３流路管と、
前記複数の測定ポイントに対応するように設けられた、複数の第４流路管とを備え、
前記複数の第１流路管の各々は、前記各試験管と前記各測定ポイントとを接続するように配置され、
前記複数の第２流路管の各々は、前記各試験管と前記各切替部材とを接続するように配置され、
前記複数の第３流路管の各々は、前記各切替部材と前記各中空管とを接続するように配置され、
前記複数の第４流路管の各々は、前記各切替部材と前記第２ガス測定機構とを接続するように配置されている
拡散濃度試験装置。
【請求項４】
請求項３に記載された拡散濃度試験装置であって、
前記第２ガス測定機構は、前記複数の測定ポイントに対応するように設けられた、複数の第２ガス測定装置を含み、
前記複数の第２ガス測定装置の各々には、前記各第４流路管が接続されている
拡散濃度試験装置。
【請求項５】
請求項３に記載された拡散濃度試験装置であって、
前記測定機構は、更に、
前記複数の第４流路管と前記第２ガス測定機構とを接続するように配置された、第５流路管と、
前記複数の第４流路管のいずれかが前記第５流路管に接続されるように、前記第５流路管の接続先を切り換える、第２切替機構とを備える
拡散濃度試験装置。
【請求項６】
請求項１乃至５のいずれかに記載された拡散濃度試験装置であって、
前記第１トレーサガスは、アンモニアであり、
前記第２トレーサガスは、炭化水素ガスであり、
前記各試験管には、前記吸収溶液として、希硫酸が蓄えられている
拡散濃度試験装置。
【請求項７】
請求項６に記載された拡散濃度試験装置であって、
前記第２ガス測定機構は、ＦＩＤ（Ｆｌａｍｅ  Ｉｏｎｉｚａｔｉｏｎ  Ｄｅｔｅｃｔｏｒ）を備えている
拡散濃度試験装置。
【請求項８】
請求項１乃至７のいずれかに記載された拡散濃度試験装置であって、
更に、
前記測定機構は、更に、前記各中空管内の気体を前記第２ガス測定機構に圧送する、圧送機構を備えている
拡散濃度試験装置。
【請求項９】
第１ガス導入機構と、
第２ガス導入機構と、
測定機構と、
を具備し、
前記測定機構は、
風路に設定された複数の測定ポイントに対応して設けられ、第１トレーサガスを吸収する吸収溶液を蓄える、複数の試験管と、
前記複数の測定ポイントに対応して設けられた、複数の中空管と、
第２ガス測定機構と、
を備える
拡散濃度試験装置の動作方法であって、
前記第１ガス導入機構が、前記風路に第１トレーサガスを導入するステップと、
前記第２ガス導入機構が、前記風路に第２トレーサガスを導入するステップと、
前記各中空管を前記各試験管に接続するステップと、
前記接続するステップの後に、前記風路内の気体を、前記各測定ポイントから前記各試験管を介して前記各中空管に吸引するステップと、
前記吸引するステップの後に、前記各試験管内の前記吸収溶液を分析することにより、前記第１トレーサガスの濃度を計測するステップと、
前記吸引するステップの後に、前記各中空管の接続先を、前記試験管側から前記第２ガス測定機構側に変更するステップと、
前記変更するステップの後に、前記第２ガス測定機構により、前記各中空管に吸引された気体における前記第２トレーサガスの濃度を計測するステップとを備える
拡散濃度試験装置の動作方法。
【請求項１０】
請求項９に記載された拡散濃度試験装置の動作方法であって、
前記第２トレーサガスの濃度を計測するステップは、
前記複数の中空管の中から、測定対象中空管を選択するステップと、
前記選択するステップの後に、前記第２ガス測定機構と前記測定対象中空管とを接続するステップと、
前記接続するステップの後に、前記第２ガス測定機構により、前記測定対象中空管内における前記第２トレーサガスの濃度を測定するステップと、
第２トレーサガスの濃度を測定するステップの後に、前記測定対象中空管を切り換えるステップとを備えている
拡散濃度試験装置の動作方法。
【発明の詳細な説明】
【技術分野】
【０００１】
本発明は、拡散濃度試験装置及び拡散濃度試験装置の動作方法に関する。
【背景技術】
【０００２】
煙突や排気筒などから放出される排ガスの拡散濃度を調べる為、大気拡散風洞試験が行なわれる場合がある。
【０００３】
上記に関連して、特許文献１（特開平７−３１１１１５号公報）には、風洞測定室の地形模型の上部空間を自在に移動できるトラバース装置を設ける点、これに装着した多数の吸入プローブにより、トレーサガスを吸引し、これをガスクロマトグラフに送る点、吸引したトレーサガスの濃度を測定し、コンピュータにより処理することにより、地形模型上空におけるトレーサガスの拡散状態を検証する点が開示されている。
【０００４】
また、特許文献１には、一挙に拡散状態を検証できるようにするために、複数のガス排出源から、それぞれ異なる成分のトレーサガスを同時に排出する点、拡散状態を検証する必要のある位置で、これらの複数のトレーサガスと空気の混合した拡散ガスを採取し、採取した拡散ガスを、個別のトレーサガスのみを溶解する溶液中に、順次通過させる点、及び、各溶液中に溶解したトレーサガスを測定することにより、拡散ガス中のトレーサガスの成分比を算出し、当該トレーサガスを排出したガス排出源からの排ガスの測定位置における拡散状態を一挙に検証する点が開示されている。
【先行技術文献】
【特許文献】
【０００５】
【特許文献１】特開平７−３１１１１５号公報
【発明の概要】
【発明が解決しようとする課題】
【０００６】
特許文献１に記載されるトラバース装置を用いた手法によれば、トレーサガスの濃度を知ることができる。しかしながら、複数の排出源が存在する場合には、ガス排出源毎に実験を繰り返す必要があり、多大なコストと時間が費やされる。
【０００７】
一方、特許文献１に記載される、個別のトレーサガスのみを溶解する溶液を用いた方法によれば、異なる種類のトレーサガスの濃度を測定することができる。そのため、ガス排出源が複数存在する場合であっても、一回の測定で、各排出源からのトレーサガスの拡散状態を検出することができる。しかしながら、この方法では、複数のトレーサガス及び複数の溶液として、どのような組み合わせを用いるかが重要である。すなわち、最初に通過する溶液に対しては、複数のトレーサガスのうちの一つの溶液だけが溶解する必要がある。一方で、最初の溶液を通過したトレーサガスは、別の溶液に溶解する必要がある。そのような複数のトレーサガス及び複数の溶液の組み合わせを見つけることは、容易ではない。
【０００８】
そこで、本発明の課題は、異なる種類のトレーサガスの濃度を一回の処理で、正確に測定することができる、拡散濃度試験装置及び拡散濃度試験装置の動作方法を提供することにある。
【課題を解決するための手段】
【０００９】
本発明に係る拡散濃度試験装置は、風路に第１トレーサガスを導入する、第１ガス導入機構と、前記風路に第２トレーサガスを導入する、第２ガス導入機構と、前記風路に設定された複数の測定ポイントのそれぞれについて、前記第１トレーサガス及び前記第２トレーサガスの濃度を測定する、測定機構とを備える。前記測定機構は、前記複数の測定ポイントに対応して設けられ、前記第１トレーサガスを吸収する吸収溶液を蓄える、複数の試験管と、前記複数の測定ポイントに対応して設けられ、各々が前記複数の試験管の各々に接続された、複数の中空管と、前記風路内の気体を、前記複数の測定ポイントの各々から前記各試験管を介して前記複数の中空管に吸引する、吸引機構と、前記複数の中空管に接続され、前記各中空管に吸引された気体における前記第２トレーサガスの濃度を測定する、第２ガス測定機構と、前記各中空管の接続先を、前記各試験管と前記第２ガス測定機構との間で切り換える、第１切替機構とを備える。
【００１０】
本発明に係る拡散濃度試験装置の動作方法で用いられる拡散濃度試験装置は、第１ガス導入機構と、第２ガス導入機構と、測定機構とを備えている。前記測定機構は、風路に設定された複数の測定ポイントに対応して設けられ、第１トレーサガスを吸収する吸収溶液を蓄える、複数の試験管と、前記複数の測定ポイントに対応して設けられた、複数の中空管と、第２ガス測定機構とを備える。拡散濃度試験装置の動作方法は、前記第１ガス導入機構が、前記風路に第１トレーサガスを導入するステップと、前記第２ガス導入機構が、前記風路に第２トレーサガスを導入するステップと、前記各中空管を前記各試験管に接続するステップと、前記接続するステップの後に、前記風路内の気体を、前記各測定ポイントから前記各試験管を介して前記各中空管に吸引するステップと、前記吸引するステップの後に、前記各試験管内の前記吸収溶液を分析することにより、前記第１トレーサガスの濃度を計測するステップと、前記吸引するステップの後に、前記各中空管の接続先を、前記試験管側から前記第２ガス測定機構側に変更するステップと、前記変更するステップの後に、前記第２ガス測定機構により、前記各中空管に吸引された気体における前記第２トレーサガスの濃度を計測するステップとを備える。
【発明の効果】
【００１１】
本発明によれば、異なる種類のトレーサガスの濃度を一回の処理で、正確に測定することができる、拡散濃度試験装置及び拡散濃度試験装置の動作方法が提供される。
【図面の簡単な説明】
【００１２】
【図１】図１は、第１の実施形態に係る拡散濃度試験装置を示す概略図である。
【図２】図２は、拡散濃度試験装置の動作方法を示す概略図である。
【図３】図３は、ガス濃度の測定方法を示す概略図である。
【図４】図４は、第２の実施形態に係る拡散濃度試験装置を示す概略図である。
【図５】図５は、拡散濃度試験装置の動作方法を示す概略図である。
【発明を実施するための形態】
【００１３】
以下、図面を参照しつつ、本発明の実施形態について説明する。
【００１４】
（第１の実施形態）
図１は、本実施形態に係る拡散濃度試験装置１を示す概略図である。本実施形態に係る拡散濃度試験装置１は、ガス排出源（煙突、工場など）からの排ガスの地表への拡散状態を知る為に用いられる。
【００１５】
図１に示されるように、拡散濃度試験装置１は、風路２（風洞）、第１ガス導入機構２０−１、第２ガス導入機構２０−２、及び測定機構１６を備えている。
【００１６】
風路２には、地形を模擬した模型（図示せず）が設けられている。また、風路２には、ガスの排出源を模擬した模型煙突３−１、３−２が設けられている。更に、風路２には、ガス濃度の測定地点として、複数の測定ポイント４（４−１〜４−３）が設定されている。
【００１７】
第１ガス導入機構２０−１は、模型煙突３−１に接続されており、模型煙突３−１を介して風路２に第１トレーサガスを導入する機能を有している。第２ガス導入機構２０−２は、模型煙突３−２に接続されており、模型煙突３−２を介して風路２に第１トレーサガスを導入する機能を有している。本実施形態では、第１トレーサガスとして、アンモニアが用いられるものとする。また、第２トレーサガスとしては、炭化水素ガス（例えば、メタン）が用いられるものとする。
【００１８】
測定機構１６は、複数の測定ポイント４（４−１〜４−３）のそれぞれについて、第１トレーサガス及び第２トレーサガスの濃度を測定する機能を有している。測定機構１６が、第１トレーサガス及び第２トレーサガスの濃度を測定することにより、複数のガス排出源が存在する場合であっても、一回の測定で拡散状態を知ることができる。以下、測定機構１６の構成について、詳述する。
【００１９】
測定機構１６は、複数の試験管５（５−１〜５−３）、第１切替機構２１、複数のマノメータ管７（７−１〜７−３）、チャンバ８、ポンプ９（吸引機構９）、複数のポンプ１０（１０−１〜１０−３）、第２ガス測定機構１７、複数の第１流路管１１（１１−１〜１１−３）、複数の第２流路管１２（１２−１〜１２−３）、複数の第３流路管１３（１３−１〜１３−３）、及び複数の第４流路管１４（１４−１〜１４−３）を備えている。複数の試験管（５−１〜５−３）、複数のマノメータ管（７−１〜７−３）、複数のポンプ（１０−１〜１０−３）、複数の第１流路管（１１−１〜１１−３）、複数の第２流路管（１２−１〜１２−３）、複数の第３流路管（１３−１〜１３−３）、及び複数の第４流路管（１４−１〜１４−３）は、複数の測定ポイント（４−１〜４−３）に対応して設けられている。
【００２０】
各試験管５は、吸収溶液を蓄えるために設けられている。各試験管５には、吸収溶液により形成される液相と、液層上の気相とが形成されている。各試験管５は、各第１流路管１１を介して、対応する測定ポイント４に接続されている。各第１流路管１１の一端は、測定ポイント４に接続されており、各第１流路管１１の他端は、各試験管５の液相中に配置されている。
【００２１】
吸収溶液としては、第１トレーサガスを吸収し、第２トレーサガスを吸収しない溶液が用いられる。第１トレーサガスとしてアンモニアが用いられ、第２トレーサガスとしてメタンが用いられる場合、吸収溶液としては、希硫酸が好適に用いられる。
【００２２】
複数のマノメータ管７（複数の中空管）の各々は、各試験管５を通過した気体を蓄えておく機能を有している。
【００２３】
チャンバ８は、複数のマノメータ管７に共通に設けられている。チャンバ８は、各マノメータ管７の底部に接続されている。チャンバ８には、各マノメータ管７内に液面が形成されるように、水が蓄えられている。
【００２４】
定量ポンプ９は、チャンバ８に接続されている。定量ポンプ９は、吸引機構として機能し、チャンバ８内の水を吸引する機能を有している。また、定量ポンプ９は、圧送機構としても機能し、チャンバ８内の水を押し出す機能も有している。
【００２５】
第２ガス測定機構１７は、第２トレーサガスの濃度を測定する機能を有している。第２ガス測定機構１７は、複数のＦＩＤ装置１５（全炭化水素分析計；１５−１〜１５−３）を備えている。複数のＦＩＤ装置１５は、複数の測定ポイント（４−１〜４−３）に対応するように、設けられている。
【００２６】
第１切替機構２１は、各マノメータ管７の接続先を切り換えるために設けられている。第１切替機構２１は、複数の３方切替弁（６−１〜６−３）を有している。複数の３方切替弁（６−１〜６−３）は、複数の測定ポイント（４−１〜４−３）に対応するように、配置されている。各３方切替弁６は、各第２流路管１２を介して、各試験管５に接続されている。ここで、第２流路管１２の一端は、各試験管５における気相内に配置されている。また、各３方切替弁６は、各第３流路管１３を介して、各マノメータ管７に接続されている。また、各３方切替弁６は、各第４流路管１４を介して、各ＦＩＤ装置１５に接続されている。各３方切替弁６により、各第２流路管１２、各第３流路管１３、及び各第４流路管１４の接続先を切り換えることができる。これにより、各マノメータ管７の接続先を、各試験管５と各ＦＩＤ装置１５との間で切り換えることが可能である。
【００２７】
複数のポンプ（１０−１〜１０−３）の各々は、各第４流路管１４に設けられている。各ポンプ１０は、各３方切替弁６側から各ＦＩＤ装置１５側へ気体を送出する機能を有している。
【００２８】
続いて、本実施形態に係る拡散濃度試験装置１の動作方法について説明する。図２は、拡散濃度試験装置１の動作方法を示す概略図である。
【００２９】
ステップＳ１；ガスの放出
まず、第１ガス導入機構２０−１によって、模型煙突３−１から風路２に第１トレーサガス１８−１が放出される。同時に、第２ガス導入機構２０−２によって、模型煙突３−２から風路２に第１トレーサガス１８−１が放出される。
【００３０】
ステップＳ２；吸引
【００３１】
一方、測定機構１６においては、各３方切替弁６（６−１〜６−３）により、各試験管５と各マノメータ管７とが接続される。次いで、定量ポンプ９が起動される。これにより、チャンバ８内の水が一定流量で吸引され、各マノメータ管７における水位が一定速度で低下する。その結果、各測定ポイント４から、各試験管５を介して、各マノメータ管７内に気体が吸引される（図２中、矢印a、ｂ、ｃ参照）。
【００３２】
ここで、既述のように、各第１流路管１１の先端は、各試験管５における液相内に配置されている。従って、吸引時に、気体は、吸収溶液内を通過することになる。吸収溶液内を通過する際に、第１トレーサガス１８−１は、吸収溶液に吸収される。一方、第２トレーサガス１８−２は、吸収溶液には吸収されず、各マノメータ管７に吸引される。
【００３３】
ステップＳ３；測定
続いて、ガス濃度の測定が行われる。図３は、ガス濃度の測定方法を示す概略図である。
【００３４】
吸引が終了すると、各３方切替弁６が操作され、各マノメータ管７の接続先が、各試験管５側から、各ＦＩＤ装置１５側に変更される。
【００３５】
続いて、各試験管５が取り外され、吸収溶液に溶解した第１トレーサガスの濃度が測定される。第１トレーサガスがアンモニアであり、吸収溶液が希硫酸である場合、例えば、溶液伝導度法により、第１トレーサガス（アンモニア）の濃度を測定することができる。吸収溶液中の第１トレーサガスの濃度は、各測定ポイント４における第１トレーサガスの濃度を反映している。従って、測定結果に基づいて、排出源３−１からの排ガスの拡散状態を知ることができる。
【００３６】
また、第１トレーサガスの濃度測定と平行して、第２トレーサガスの濃度が測定される。具体的には、定量ポンプ９が、チャンバ８内の水を押し出すように、操作される。これにより、各マノメータ管７内の水位が上昇し、各マノメータ７内に吸引された気体が押し出される。また、この際、各定量ポンプ１０も、定量ポンプ９の流量に対応する流量で運転する。これにより、各マノメータ管７内の気体が、各ＦＩＤ装置１５に圧送される。各ＦＩＤ装置１５では、圧送された気体中における第２トレーサガスの濃度が計測される。すなわち、各ＦＩＤ装置１５により、各マノメータ管７に吸引された気体における第２トレーサガスの濃度が、測定される。各マノメータ管７における第２トレーサガス濃度は、対応する測定ポイント４における第２トレーサガスの濃度を反映している。従って、ＦＩＤ装置１５による測定結果に基づいて、排出源３−２からの排ガスの拡散状態を知ることができる。
【００３７】
以上説明したように、本実施形態によれば、第１トレーサガスの濃度と第２トレーサガスの濃度とを同時に測定することができる。そのため、複数の排出源（３−１、３−２）からの排ガスの拡散状態を、一回の測定で知ることができる。
【００３８】
また、本実施形態では、第１トレーサガスだけが溶解するように、各トレーサガス及び吸収溶液を選択すればよい。第２トレーサガスは、吸収溶液に溶解しなければよい。従って、各トレーサガス及び吸収溶液の選択に関する自由度が増し、正確にガス濃度を測定することが可能になる。
【００３９】
更に、本実施形態では、定量ポンプ９が、チャンバ８を介して複数のマノメータ管７内の水を吸引する。このような構成を採用すれば、複数のマノメータ管７の間において、水位を同一にすることができる。その結果、各測定ポイント４から各マノメータ管７に吸引される気体の体積を、複数の測定ポイント４の間で同一にすることができる。従って、より正確にガス濃度を測定することが可能になる。
【００４０】
（第２の実施形態）
続いて、第２の実施形態について説明する。第１の実施形態では、複数の測定ポイント４に対応して、複数のＦＩＤ装置１５が用いられる。しかしながら、ＦＩＤ装置１５は高価である。そこで、本実施形態では、使用するＦＩＤ装置１５の数を減らすことができるように、工夫がされている。
【００４１】
図４は、本実施形態に係る拡散濃度試験装置１を示す概略図である。本実施形態では、第１の実施形態に対して、第２切替機構２３、及び第５流路管２２が追加されている。また、第１の実施形態とは異なり、複数の測定ポイント（４−１〜４−３）に対して、一つのＦＩＤ装置１５が設けられている。更に、また、第１の実施形態における複数の定量ポンプ（１０−１〜１０−３）に代えて、単一の定量ポンプ１０が用いられる。その他の点については、第１の実施形態と同様の構成を採用することができるので、詳細な説明は省略する。
【００４２】
第２切替機構２３は、複数の測定ポイント（４−１〜４−３）に対応する複数の３方切替弁（１９−１〜１９−３）を有している。各３方切替弁１９は、各第４流路管１４の接続先を、第５流路管２２と外部との間で切り換えるように、配置されている。
【００４３】
第５流路管２２は、一端で第２切替機構２３に接続され、他端でＦＩＤ装置１５に接続されている。
【００４４】
定量ポンプ１０は、第５流路管２２に設けられており、第２切替機構２３側からＦＩＤ装置１５側へ気体を圧送する機能を有している。
【００４５】
続いて、本実施形態に係る拡散濃度試験装置１の動作方法を説明する。図５は、拡散濃度試験装置１の動作方法を示す概略図である。本実施形態では、第１の実施形態とは、第２トレーサガス濃度の測定方法が異なっている。その他の点については、第１の実施形態と同様であるので、詳細な説明は省略する。
【００４６】
図５に示されるように、第２トレーサガス濃度の測定時には、各マノメータ管７に気体が吸引された後、各３方切替弁６により、各マノメータ管７の接続先が、ＦＩＤ装置１５側に切り換えられる。更に、複数のマノメータ管７のいずれかが、測定対象マノメータ管７として選択され、測定対象マノメータ管７が第５流路管２２に接続されるように、各３方切替弁１９が操作される。尚、測定対象マノメータ管７以外のマノメータ管７については、外部に接続されるように、各３方切替弁１９が操作される。尚、図５に示される例では、マノメータ管７−１が測定対象マノメータ管として選択されており、マノメータ管７−１がＦＩＤ装置１５と接続されるように、各３方切替弁１９が操作されている。
【００４７】
その後、第１の実施形態と同様に、定量ポンプ９及び定量ポンプにより、各マノメータ管７内の気体が、ＦＩＤ装置５側へ圧送される。これにより、測定対象マノメータ管７内の気体のみがＦＩＤ装置５へ供給される。ＦＩＤ装置５により、測定対象マノメータ管７内における第２トレーサガスの濃度が測定される。
【００４８】
測定後、測定対象マノメータ管７が変更される。そして、変更後の測定対象マノメータ管７がＦＩＤ装置５に接続されるように、各３方切替弁１９が操作される。そして、変更後の測定対象マノメータ管７内の第２トレーサガス濃度が測定される。
【００４９】
上述の動作を繰り返すことにより、全てのマノメータ管７について（全ての測定ポイント４）について、第２トレーサガスの濃度が測定される。
【００５０】
以上説明したように、本実施形態によれば、一台のＦＩＤ装置１５によって複数の測定ポイント（４−１〜４−３）における第２トレーサガス濃度を測定することができる。ＦＩＤ装置１５の使用台数を減らすことができ、拡散濃度試験装置１のコストを低減することができる。
【００５１】
以上、本発明について、第１及び第２の実施形態を用いて説明した。尚、これらの実施形態は独立するものではなく、矛盾のない範囲内で組み合わせて用いることも可能である。
【符号の説明】
【００５２】
１  拡散濃度試験装置
２  風路
３  模型煙突
４（４−１〜４−３）  測定ポイント
５（５−１〜５−３）  試験管
６（６−１〜６−３）  ３方切替弁（第１切替機構）
７（７−１〜７−３）  マノメータ管（中空管）
８  チャンバ
９  ポンプ（吸引機構、圧送機構）
１０（１０−１〜１０−３）  ポンプ
１１（１１−１〜１１−３）  第１流路管
１２（１２−１〜１２−３）  第２流路管
１３（１３−１〜１３−３）  第３流路管
１４（１４−１〜１４−３）  第４流路管
１５（１５−１〜１５−３）  ＦＩＤ装置
１６  測定機構
１７  第２ガス測定機構
１８−１  アンモニア（第１トレーサガス）
１８−２  メタン（第２トレーサガス）
１９（１９−１〜１９−３）  ３方切替弁
２０−１  第１ガス導入機構
２０−２  第２ガス導入機構
２１  第１切替機構
２２  第５流路管
２３  第２切替機構
【図１】
2014126465.tif 000003
【図２】
2014126465.tif 000004
【図３】
2014126465.tif 000005
【図４】
2014126465.tif 000006
【図５】
2014126465.tif 000007